(57)【要約】【課題】  スロッシングによる揺動等に起因してポンツーン外周部に大きな破損を生じても、貯蔵液体に沈下することのない貯蔵タンクの浮屋根構造を提供する。【解決手段】  浮屋根１０は、デッキプレート１１の外周にポンツーン２０が設けられて成り、ポンツーン２０の内部は、放射状に配設された区画板２５によって周方向に隔絶された複数の浮き室２０Ａに分割されると共に、これら浮き室２０Ａの内部は、径方向隔壁２６によって水密的に隔絶された内側浮き室２０Ａａと外側浮き室２０Ａｂとに分割されて構成されている。【選択図】  図２
2005219769.tif 000002
【特許請求の範囲】
【請求項１】
デッキプレートの外周にポンツーンを備えて成る貯蔵タンクの浮屋根において、
前記ポンツーンは、内部が、放射状に配設された区画板部材によって周方向に隔絶する複数の浮き室に水密的に区画されると共に、前記各浮き室が径方向隔壁部材によって径方向に隔絶する少なくとも内外二室の浮き室に水密的に区画されて構成されていることを特徴とする貯蔵タンクの浮屋根構造。
【請求項２】
デッキプレートの外周にポンツーンを備えて成る貯蔵タンクの浮屋根において、
前記ポンツーンは、内部が、法線に対して交互に逆方向に角度を有して配設された複数の斜め区画板部材によって、周方向と径方向内外に隔絶する浮き室に水密的に区画されて構成されていることを特徴とする貯蔵タンクの浮屋根構造。
【発明の詳細な説明】
【技術分野】
【０００１】
本発明は、石油等の油タンクとして用いられる浮屋根式貯蔵タンクにおける浮屋根の構造に関する。
【背景技術】
【０００２】
原油やガソリン等の貯槽として用いられる浮屋根式貯蔵タンクとして、図５に一部断面概念斜視図を示すように、円筒状のタンク側板５１の内部にシングルデッキ型の浮屋根５２を備えるものがある。
【０００３】
シングルデッキ型の浮屋根５２は、図５のＡ部拡大断面図である図６（Ａ）に概念的に示すように、当該浮屋根５２の中央部を構成するデッキプレート５２Ａの外周に環状のポンツーン５３が設けられ、このポンツーン５３に作用する浮力によって貯蔵液体５０の液面上に浮かんで当該液面を覆うようになっている。
【０００４】
ポンツーン５３は、内周側のインナーリム５３Ａと、外周側のアウターリム５３Ｂと、下面を形成する下部デッキ５３Ｃと、上面を形成する上部デッキ５３Ｄとによって、外周側（アウターリム５３Ｂ側）が厚い不等辺矩形の断面形状を呈している。
【０００５】
ポンツーン５３の外周部には、アウターリム５３Ｂの外面に装着されてタンク側板５１の内面に摺動可能に密着するシール５４Ａとその上側に配設されたウェザーシールド５４Ｂとから成るシール装置５４が設けられている。
【０００６】
ところで、地震によって貯蔵タンクが加振されると、主として長周期型地震動によって貯蔵液体５０の液面が長周期で揺動する所謂スロッシングを生ずることがある。スロッシングが生ずるとそれに伴って浮屋根５２が揺動し、タンク側板５１への衝突による破損や、作用する大きな応力による座屈や溶接部の破断を生じ、ポンツーン５３の水密性が破綻する虞がある。
【０００７】
このため、ポンツーン５３の内部は、図６（Ｂ）に断面斜視図を示すように、放射状に配設された区画板５３Ｅ（バルクヘッド）によって水密的に隔絶する複数の浮き室５３Ｆに区画されている。これら浮き室５３Ｆの容量は、隣接する二つの浮き室５３Ｆが同時に破損して浮屋根５２全体の浮力に偏りが生じても貯蔵液体５０に沈下しないよう設定される。
【０００８】
また、特許文献１に開示のごとくスロッシングを抑制する構成も提案されている。
【特許文献１】特開昭６０−９９８８６号公報
【発明の開示】
【発明が解決しようとする課題】
【０００９】
ところで、上記のごとく構成された浮屋根５２では、例えば大きな地震による大きなスロッシングによって浮屋根５２が大きく揺動して図７（Ａ）に示すように大きく（隣接する二室以上）破損した場合には、その破損部位５３Ｘを介した貯蔵液体５０の浮き室５３Ｆ内への侵入によって浮力が消失し、図７（Ｂ）に示すように貯蔵液体５０に沈下してしまう虞がある。
【００１０】
浮屋根５２が沈下すると、特に揮発性が高い貯蔵液体の場合には、揮発蒸気が大量に発生し、近隣に刺激臭等の影響を与えるばかりでなく、発火・爆発・火災の可能性がある。浮屋根５２が沈下した状態で万一火災が発生すると、図７（Ｃ）に示すように全面火災となってタンク側板５１の上縁部に設置されている消火設備での消火は不可能となり、最悪の場合タンク側板５１の倒壊に至り、貯蔵液体が流出して甚大な被害を与える可能性もある。
【００１１】
また、火災は免れても、貯蔵液体５０を収容したままでの復旧は困難であって開放・検査・補修といった工程が必要となり、運用計画の変更は避けられず、その結果、多大な費用と損失を生ずる。
【００１２】
本発明は、上記問題に鑑みてなされたものであって、スロッシングによる揺動等に起因してポンツーン外周部に大きな破損を生じても、貯蔵液体に沈下することのない貯蔵タンクの浮屋根構造を提供することを目的とする。
【課題を解決するための手段】
【００１３】
上記目的を達成する請求項１の発明に係る貯蔵タンクの浮屋根構造は、デッキプレートの外周にポンツーンを備えて成る貯蔵タンクの浮屋根において、前記ポンツーンは、内部が、放射状に配設された区画板部材によって周方向に隔絶する複数の浮き室に仕切られると共に、前記各浮き室が径方向隔壁部材によって径方向に隔絶する少なくとも内外二室の浮き室に水密的に区画されて構成されていることを特徴とする。
【００１４】
この構成では、ポンツーンの外周部が破損して当該部位の浮き室に貯蔵液体が侵入しても、内側の浮き室によって浮力を維持する。
【００１５】
また、請求項２の発明に係る貯蔵タンクの浮屋根構造は、デッキプレートの外周にポンツーンを備えて成る貯蔵タンクの浮屋根において、前記ポンツーンは、内部が、当該浮屋根の法線に対して交互に逆方向に角度を有して配設された複数の斜め区画板部材によって、周方向と径方向内外に隔絶する浮き室に水密的に区画されて構成されていることを特徴とする。
【００１６】
この構成では、ポンツーンの外周部が破損して当該部位の浮き室に貯蔵液体が侵入しても、内側に位置する浮き室によって浮力を維持する。
【発明の効果】
【００１７】
請求項１に係る貯蔵タンクの浮屋根構造によれば、ポンツーンの内部が区画板部材によって周方向に隔絶する複数の浮き室に仕切られると共にこれら各浮き室が径方向隔壁部材によって径方向に隔絶する少なくとも内外二室の浮き室に仕切られているため、スロッシングによる揺動等に起因して外周部が破損しても、破損部位から貯蔵液の侵入による浮力の喪失は外側の浮き室のみにとどまり、内側の浮き室によって浮力を維持することができる。従って、浮屋根の沈下及びそれによる大量の揮発分の漏洩が無く運用を継続でき、万一火災が発生した場合でもシール部のリング状火災に抑えられるために備えられている消火設備での消火が可能であって被害を最小限に食い止めることができる。即ち、大規模火災を防ぐことができると共に多大な復旧費用を要することもないものである。
【００１８】
また、請求項２に係る貯蔵タンクの浮屋根構造によれば、ポンツーンの内部が当該浮屋根の法線に対して交互に逆方向に角度を有して配設された複数の隔壁部材によって周方向と径方向内外に隔絶する浮き室に仕切られているため、スロッシングによる揺動等に起因して外周部が破損しても、破損部位から貯蔵液の侵入による浮力の喪失は外側の浮き室のみにとどまり、内側の浮き室によって浮力を維持することができる。従って、浮屋根の沈下及びそれによる大量の揮発分の漏洩が無く運用を継続でき、万一火災が発生した場合でもシール部のリング状火災に抑えられるために備えられている消火設備での消火が可能であって被害を最小限に食い止めることができる。即ち、大規模火災を防ぐことができると共に多大な復旧費用を要することもないものである。
【発明を実施するための最良の形態】
【００１９】
以下、添付図面を参照して本発明を実施するための最良の形態について説明する。  
図１は本発明に係る貯蔵タンクの浮屋根構造の一構成例を用いた浮屋根式貯蔵タンクの平面図，図２（Ａ）は図１のＡ−Ａ断面図，図２（Ｂ）は浮屋根の部分断面斜視図である。
【００２０】
図示貯蔵タンク１の浮屋根１０は、中央部を構成する円盤状のデッキプレート１１の外周にポンツーン２０が設けられて成る、所謂シングルデッキ型の浮屋根である。
【００２１】
ポンツーン２０は、内周側のインナーリム２１と、外周側のアウターリム２２と、下面を形成する下部デッキ２３と、上面を形成する上部デッキ２４とによって、外周側（アウターリム２２側）が厚い不等辺の矩形の断面形状を呈している。
【００２２】
ポンツーン２０の外周部には、アウターリム２２の外面に装着されてタンク側板１Ｓの内面に摺動可能に密着するシール１２Ａとその上側に配設されたウェザーシールド１２Ｂとから成るシール装置１２が設けられている。
【００２３】
ポンツーン２０の内部は、放射状（径方向）配設された複数の区画板部材としての区画板２５によって周方向に水密的に隔絶された複数の浮き室２０Ａに区画され、更に、これら浮き室２０Ａの内部は、径方向略中央に周方向に配設された径方向隔壁２６によって水密的に隔絶された内側浮き室２０Ａａと外側浮き室２０Ａｂとに区画されている。つまり、ポンツーン２０は、周方向に隔絶された複数の浮き室２０Ａａ，２０Ａｂを、内外二重に備えているものである。内外の浮き室２０Ａａ，２０Ａｂの容量は、ほぼ同等の浮力を得られるように設定されている。
【００２４】
このように構成された浮屋根１０では、図３（Ａ）に示すように、地震によって生じた大きなスロッシングによる揺動等に起因して外周部に破損を生じても、破損部位からの貯蔵液体２の侵入による浮力の喪失は図３（Ｂ）に示すように外側の浮き室２０Ａｂのみに止められ、内側の浮き室２０Ａａは浮力を維持するために貯蔵液体２に沈下することがない。
【００２５】
これにより、揮発分の漏洩も少なく抑えられ、万一火災となっても図３（Ｃ）に示すようにシール機構１２部分のリング状火災に抑えられるためにタンク周囲に設けられている消火設備での消火が可能である。また、運用計画の変更を伴う開放・検査・補修といった復旧作業を要すること無く運用を継続することができ、多大な費用と損失を生じさせることがないものである。
【００２６】
尚、本発明は上記構成例に限るものではなく、適宜変更可能なものである。
【００２７】
図４は、本発明に係る浮屋根の構造の異なる構成例の部分平面図である。図示浮屋根１０′は、デッキプレート１１の外周に設けられたポンツーン２０′は、その内部が当該浮屋根１０′の外周の法線に対して角度を有する（放射状の線に対して角度を有する）斜め区画板２７Ａ，２７Ｂによって気密的に仕切られ、周方向に隔絶する複数の浮き室２０Ｂａ，２０Ｂｂに分割されている。
【００２８】
浮き室２０Ｂａ，２０Ｂｂを形成する隣接する斜め区画板２７Ａ，２７Ｂは、法線に対して互いに逆向きの角度とされ、インナーリム２１又はアウターリム２２への接合部位をほぼ合致させて設けられている。これにより、浮き室２０Ｂａ，２０Ｂｂはその平面形状が略三角形となり、その頂角を内外周側に交互に向けて形成されている。内外の浮き室２０Ｂａ，２０Ｂｂの容量は、ほぼ同等の浮力を得られるように設定されている。
【００２９】
このような構成によっても、スロッシングに伴う揺動等による破損は外側の浮き室２０Ｂｂのみで済み、内側の浮き室２０Ｂａによって浮力を維持して沈下を防ぐことができる。尚、図示構成例では、一方の隔壁２７Ａの外周側の端縁は、アウターリム２２に直接接合せずに、アウターリム２２に接合した他方の隔壁２７Ｂの所定量内周側の側面に接合しており、これによって内側の浮き室２０Ｂａの外周側の頂角部が当該浮屋根１０′の外周面より内側となって破損による影響を受け難くなっているものである。
【図面の簡単な説明】
【００３０】
【図１】本発明に係る浮屋根の構造の一構成例を用いた浮屋根式貯蔵タンクの平面図である。
【図２】（Ａ）は図１のＡ−Ａ断面図，（Ｂ）は浮屋根の部分断面斜視図である。
【図３】（Ａ）−（Ｃ）は作用説明図である。
【図４】異なる構成例の平面図である。
【図５】従来例としての浮屋根式貯蔵タンクの一部断面概念斜視図である。
【図６】（Ａ）は図５のＡ部拡大断面図，（Ｂ）は断面斜視図である。
【図７】（Ａ）−（Ｃ）はスロッシングによる浮き室の破損によって生ずる浮屋根の沈下の説明図である。
【符号の説明】
【００３１】
１  貯蔵タンク（浮屋根式貯蔵タンク）
１０，１０′  浮屋根
１１  デッキプレート
２０  ポンツーン
２０Ａ  浮き室
２０Ａａ  内側浮き室
２０Ａｂ  外側浮き室
２５  区画板（区画板部材）
２６  径方向隔壁（径方向隔壁部材）
２７Ａ，２７Ｂ  斜め区画板（斜め区画板部材）
２０Ｂａ，２０Ｂｂ  浮き室
【図１】
2005219769.tif 000003
【図２】
2005219769.tif 000004
【図３】
2005219769.tif 000005
【図４】
2005219769.tif 000006
【図５】
2005219769.tif 000007
【図６】
2005219769.tif 000008
【図７】
2005219769.tif 000009